(57)【要約】【課題】部品点数を削減できるバックライトユニットを提供する。【解決手段】バックライトユニット２０は、光源２２と、光源２２と対向する入射面２３ａと、入射面２３ａとは反対側の面であり、光透過型の液晶表示部１０と対向する出射面２３ｂと、を有し、光源２２から入射面２３ａに入射する光を液晶表示部１０に向けて集光する形状のレンズ２３と、を含み、レンズ２３は、入射面２３ａと出射面２３ｂとの間に、透明層２４と、光を拡散させる拡散層２５とが重なって構成されており、拡散層２５は、透明層２４における液晶表示部１０側の面２４ｂの全体を覆っている。【選択図】図２
2020068162.tif 000002
【特許請求の範囲】
【請求項１】
光源と、
前記光源と対向する入射面と、前記入射面とは反対側の面であり、光透過型の液晶表示部と対向する出射面と、を有し、前記光源から前記入射面に入射する光を前記液晶表示部に向けて集光する形状のレンズと、を備え、
前記レンズは、前記入射面と前記出射面との間に、透明層と、光を拡散させる拡散層とが重なって構成されており、
前記拡散層は、前記透明層における前記液晶表示部側の面の全体を覆っている
ことを特徴とするバックライトユニット。
【請求項２】
前記透明層および前記拡散層が一体成形されている
請求項１に記載のバックライトユニット。
【請求項３】
前記出射面が前記拡散層で構成されている
請求項１または２に記載のバックライトユニット。
【請求項４】
前記出射面を構成する前記拡散層の厚みが一律である
請求項３に記載のバックライトユニット。
【請求項５】
前記入射面が前記拡散層で構成されている
請求項１から４の何れか１項に記載のバックライトユニット。
【請求項６】
前記入射面を構成する前記拡散層の厚みが一律である
請求項５に記載のバックライトユニット。
【請求項７】
前記入射面が前記透明層で構成されている
請求項１から４の何れか１項に記載のバックライトユニット。
【請求項８】
前記透明層の形状は、前記光源側から前記透明層に入射する光を前記液晶表示部に向けて集光する形状である
請求項１から７の何れか１項に記載のバックライトユニット。
【請求項９】
光透過型の液晶表示部と、
バックライトユニットと、を備え、
前記バックライトユニットは、
光源と、
前記光源と対向する入射面と、前記入射面とは反対側の面であり、前記液晶表示部と対向する出射面と、を有し、前記光源から前記入射面に入射する光を前記液晶表示部に向けて集光する形状のレンズと、を備え、
前記レンズは、前記入射面と前記出射面との間に、透明層と、光を拡散させる拡散層とが重なって構成されており、
前記拡散層は、前記透明層における前記液晶表示部側の面の全体を覆っている
ことを特徴とするヘッドアップディスプレイ装置。
【発明の詳細な説明】
【技術分野】
【０００１】
本発明は、バックライトユニットおよびヘッドアップディスプレイ装置に関する。
【背景技術】
【０００２】
光源から出射された光を集光レンズによって集光させてから、液晶表示部などに向けて出射するバックライトユニットが知られている。このようなバックライトユニットは、例えば、ヘッドアップディスプレイ装置等に用いられている。
【０００３】
特許文献１には、配線基板に複数の光源が設けられた光源ユニットと、各光源からの照明光を各々集光させるための複数のレンズが各光源に対応して設けられたレンズ部材と、各レンズを通じて各々出射される出射光によって透過照明される表示素子とを備えた表示装置において、レンズ部材には、各レンズ間の境界部分を繋ぐ繋ぎ部が形成されてなる、表示装置に関する技術が開示されている。
【０００４】
特許文献１の表示装置によれば、表示素子を透過する照明光の輝度ムラを極力抑えることが可能、とされている。
【先行技術文献】
【特許文献】
【０００５】
【特許文献１】特開２００９−１２２６５４号公報
【発明の概要】
【発明が解決しようとする課題】
【０００６】
ところで、バックライトユニットにおいて、部品点数を削減できることが望まれている。
【０００７】
本発明の目的は、部品点数を削減できるバックライトユニットを提供することである。
【課題を解決するための手段】
【０００８】
本発明のバックライトユニットは、光源と、前記光源と対向する入射面と、前記入射面とは反対側の面であり、光透過型の液晶表示部と対向する出射面と、を有し、前記光源から前記入射面に入射する光を前記液晶表示部に向けて集光する形状のレンズと、を含み、前記レンズは、前記入射面と前記出射面との間に、透明層と、光を拡散させる拡散層とが重なって構成されており、前記拡散層は、前記透明層における前記液晶表示部側の面の全体を覆っていることを特徴とする。
【発明の効果】
【０００９】
本発明に係るバックライトユニットは、光源から入射面に入射する光を液晶表示部に向けて集光する形状のレンズを含む。レンズは、入射面と出射面との間に、透明層と、光を拡散させる拡散層とが重なって構成されており、拡散層は、透明層における液晶表示部側の面の全体を覆っている。本発明に係るバックライトユニットにおいて、光源から入射面に入射する光は、光を集光する形状のレンズで集光されつつ、拡散層によって拡散されて出射面から出射される。本発明に係るバックライトユニットによれば、レンズに光を集光する機能と光を拡散させる機能とを併存させることで部品点数を削減できるという効果を奏する。
【図面の簡単な説明】
【００１０】
【図１】図１は、実施形態に係るヘッドアップディスプレイ装置の概略構成図である。
【図２】図２は、実施形態に係るバックライトユニットを示す断面図である。
【図３】図３は、実施形態のレンズアレイを示す平面図である。
【図４】図４は、実施形態の変形例に係るバックライトユニットを示す断面図である。
【図５】図５は、実施形態の変形例に係る別のバックライトユニットを示す断面図である。
【発明を実施するための形態】
【００１１】
以下に、本発明の実施形態に係るバックライトユニットおよびヘッドアップディスプレイ装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１２】
［実施形態］
図１から図３を参照して、実施形態について説明する。実施形態は、バックライトユニットおよびヘッドアップディスプレイ装置に関する。図１は、実施形態に係るヘッドアップディスプレイ装置の概略構成図である。図２は、実施形態に係るバックライトユニットを示す断面図である。図３は、実施形態のレンズアレイを示す平面図である。なお、図２は、車両上下方向におけるバックライトユニットおよび液晶表示部の断面を示している。図３は、実施形態のレンズアレイを液晶表示部側から見た平面図である。
【００１３】
図１に示すように、実施形態に係るヘッドアップディスプレイ装置１は、自動車などの車両１００に搭載される。ヘッドアップディスプレイ装置１は、車両１００のダッシュボード１０２の内側に配置される。ヘッドアップディスプレイ装置１は、車両１００における表示部材１０３の反射面１０３ｓに向けて表示光Ｌ１を投射する。実施形態において、表示部材１０３は、ウインドシールドである。表示部材１０３は、車両１００における運転者Ｄの前方に配置されている。表示部材１０３の反射面１０３ｓには、入射する光の一部を反射し、入射する光の他の一部を透過させる半透過性のコーティングなどがなされていてもよい。反射面１０３ｓに投射された表示光Ｌ１は、反射面１０３ｓから車両１００のアイポイントＥＰに反射されることで、運転者Ｄに虚像Ｓとして視認される。
【００１４】
実施形態に係るヘッドアップディスプレイ装置１は、液晶表示部１０と、実施形態に係るバックライトユニット２０と、反射部材３０と、を含む。液晶表示部１０は、光透過型のＴＦＴ液晶（Thin  Film  Transistor  Liquid  Crystal  Display）等から構成されている。液晶表示部１０は、車両１００に搭載された制御部（図示せず）からの制御信号に応じて数字や文字、図形等を含む表示画像を表示する。
【００１５】
バックライトユニット２０は、液晶表示部１０に向かって光Ｌ２を出射する照明装置である。図２に示すように、バックライトユニット２０は、基材２１、光源２２、およびレンズ２３を含んで構成されている。基材２１は、２つの主面２１ａ，２１ｂを有する板状の部材である。基材２１の一方の主面２１ａには、光源２２が固定されている。光源２２としては、発光ダイオード（ＬＥＤ：Light  Emitting  Diode）などを用いることができる。光源２２は、車両１００に搭載された電源から電力が供給されることで点灯する。基材２１の他方の主面２１ｂには、ヒートシンク（図示せず）が固定されていてもよい。光源２２で発生した熱は、基材２１に蓄積される。ここで、ヒートシンクは、基材２１に蓄積された熱をバックライトユニット２０の外部に放出するものである。
【００１６】
レンズ２３は、光源２２から出射された光を集光させつつ拡散させるレンズである。レンズ２３は、光源２２と対向する入射面２３ａと、入射面２３ａとは反対側の面である出射面２３ｂとを有する。実施形態のレンズ２３は、液晶表示部１０側から見て、入射面２３ａを構成する矩形状の板状部分から半球状の出射面２３ｂが突出した形状に形成されている（図３参照）。つまり、レンズ２３は、入射面２３ａが平坦面であり、出射面２３ｂが凸状の湾曲面である平凸レンズである。
【００１７】
図２に示すように、レンズ２３は、透明層２４、および拡散層２５を有している。レンズ２３は、入射面２３ａと出射面２３ｂとの間に、透明層２４と、拡散層２５とが重なって構成されている。透明層２４は、光を透過させる透明な層である。また、拡散層２５は、光を拡散させる層である。拡散層２５のヘイズ値は、透明層２４のヘイズ値よりも高い。つまり、拡散層２５は、透明層２４よりも光の拡散性が高い層である。拡散層２５は、少なくとも透明層２４における液晶表示部１０側の面２４ｂの全体を覆う。つまり、拡散層２５は、少なくとも透明層２４における液晶表示部１０側の面２４ｂの全体と密着している。実施形態のレンズ２３においては、透明層２４は、拡散層２５に包まれて形成されている。つまり、透明層２４の表面全体が、拡散層２５によって覆われている。
【００１８】
実施形態の透明層２４は、光源２２側から透明層２４に入射する光を液晶表示部１０に向けて集光する形状を有している。透明層２４における入射面２３ａ側の面２４ａは、平坦面として形成されている。また、透明層２４における液晶表示部１０側の面２４ｂは、凸状の湾曲面として形成されている。実施形態の入射面２３ａおよび出射面２３ｂは、拡散層２５によって構成されている。ここで、拡散層２５は、入射面２３ａを構成する拡散層２５の厚みｔ１が、一律になるように形成されている。つまり、拡散層２５の入射面２３ａと透明層２４の光源２２側の面２４ａとが互いに沿うように形成されている。また、拡散層２５は、出射面２３ｂを構成する拡散層２５の厚みｔ２が、一律になるように形成されている。つまり、拡散層２５の出射面２３ｂと透明層２４の液晶表示部１０側の面２４ｂとが互いに沿うように形成されている。
【００１９】
拡散層２５の厚みは、レンズ２３が光源２２から出射された光を液晶表示部１０に向けて集光でき、かつ拡散層２５における拡散度合が集光された光の色ムラや輝度ムラの発生を抑制できる程度になるように設定される。
【００２０】
実施形態においては、拡散層２５のうち透明層２４に対して液晶表示部１０側の部分である出射側部分２５ｂ（出射面２３ｂを構成する拡散層２５）の厚みｔ２は、拡散層２５のうち透明層２４に対して光源２２側の部分である入射側部分２５ａ（入射面２３ａを構成する拡散層２５）の厚みｔ１よりも厚く形成されている。入射側部分２５ａの厚みｔ１、および出射側部分２５ｂの厚みｔ２は、レンズ２３が光源２２から出射された光を液晶表示部１０に向けて集光でき、集光された光の色ムラや輝度ムラの発生を抑制できる程度の拡散度合になるように設定される。
【００２１】
透明層２４は、アクリル樹脂などの透明樹脂によって形成される。拡散層２５は、アクリル樹脂などの透明樹脂に光拡散材２５ｃを分散させたものを用いて形成されている。実施形態の光拡散材２５ｃは、光拡散ビーズである。光拡散ビーズは、拡散層２５の母材として用いられている透明樹脂とは屈折率の異なる樹脂材料によって形成された光拡散用の微粒子である。
【００２２】
実施形態のレンズ２３は、一体成形されている。レンズ２３は、例えば、透明層２４が配置された金型内に、光拡散材２５ｃを分散させた樹脂材料（拡散層２５となる樹脂材料）を充填することで成形される。
【００２３】
実施形態において、光源２２およびレンズ２３は、複数設けられている。複数の光源２２は、基材２１の主面２１ａ上にマトリクス状に配置されている。図３に示すように、複数のレンズ２３は、１枚のレンズアレイＭＡを構成している。図２に示すように、複数のレンズ２３は、１つのレンズ２３が１つの光源２２に１対１で対応するように配置されている。つまり、複数のレンズ２３は、主面２１ａに沿うようにマトリクス状に配列されており、１つのレンズ２３の入射面２３ａが１つの光源２２と対向するように配置されている。複数のレンズ２３は、透明層２４の側面を覆う拡散層２５を介して互いに繋がっている。実施形態のレンズアレイＭＡは、例えば、棒状のフレームを介して繋がった複数の透明層２４を金型内に配置し、金型内に拡散層２５となる樹脂材料を充填し、その後、棒状のフレームを除去することにより、成形される。
【００２４】
実施形態の液晶表示部１０は、液晶層１１、一対の偏光板１２ａ，１２ｂ、一対の基板１３ａ，１３ｂを含んで構成されている。液晶層１１は、一対の偏光板１２ａ，１２ｂの間に配置されている。基板１３ａは、液晶層１１と偏光板１２ａとの間に配置されており、基板１３ｂは、液晶層１１と偏光板１２ｂとの間に配置されている。一対の基板１３ａ，１３ｂには、一対の対向電極が設けられている。一対の対向電極は、複数の画素電極、と、共通電極とによって構成されている。画素電極は、それぞれが一画素に対応する電極として基板１３ａに設けられている。共通電極は、複数の画素電極の共通電極として基板１３ｂに設けられている。液晶層１１の結晶配向は、一対の対向電極間に生じる電位差に応じて変化する。一対の偏光板１２ａ，１２ｂは、クロスニコルの関係になるように配置されており、液晶表示部１０における光の透過率は、液晶層１１の結晶配向の変化に応じて、制御される。
【００２５】
バックライトユニット２０において、光源２２から出射された光は、レンズ２３によって集光されつつ、拡散されて、出射面２３ｂから液晶表示部１０に向けて光Ｌ２として出射される。液晶表示部１０は、画素電極毎に対向電極間の電位差を制御することで光Ｌ２の少なくとも一部を透過させることで、光Ｌ２の少なくとも一部を表示画像に対応する表示光Ｌ１として投射する。
【００２６】
図１に示すように、液晶表示部１０から投射された表示光Ｌ１は、反射部材３０によって、アイポイントＥＰと対向する反射面１０３ｓに反射される。反射部材３０は、液晶表示部１０から投射された表示光Ｌ１を拡大させて反射する拡大ミラーである。反射部材３０としては、例えば、非球面ミラーを用いることができる。
【００２７】
以上説明したように、実施形態に係るバックライトユニット２０は、光源２２と、光源２２と対向する入射面２３ａと、入射面２３ａとは反対側の面であり、光透過型の液晶表示部１０と対向する出射面２３ｂと、を有し、光源２２から入射面２３ａに入射する光を液晶表示部１０に向けて集光する形状のレンズ２３と、を含み、レンズ２３は、入射面２３ａと出射面２３ｂとの間に、透明層２４と、光を拡散させる拡散層２５とが重なって構成されており、拡散層２５は、透明層２４における液晶表示部１０側の面２４ｂの全体を覆っている。
【００２８】
実施形態に係るバックライトユニット２０において、レンズ２３は、光源２２から出射された光を液晶表示部１０に向けて集光する機能と、レンズ２３から出射される光を拡散させる機能とを併せ持っている。実施形態とは別の構成として、光源からの光を集光する集光レンズと、集光レンズとは別部材として設けられ集光レンズから出射された光を拡散させる拡散板と、を含むバックライトユニットの構成も考えられる。ここで、拡散板は、集光レンズで集光されて液晶表示部に向けて出射される光（例えば、平行光）を拡散させる部材である。集光レンズによって集光された光が拡散板によって拡散されることで、車両における表示光を視認できる範囲が広がる。この実施形態とは別の構成に対して、実施形態の構成では、レンズ２３に光を集光する機能と光を拡散させる機能とを併存させている。したがって、拡散板を削減することができる。つまり、実施形態のバックライトユニット２０においては、バックライトユニットの部品点数を削減することができる。また、部品点数を削減することで、バックライトユニットの重量を軽量化できる。
【００２９】
また、レンズ２３は、入射面２３ａと出射面２３ｂとの間に、透明層２４と、光を拡散させる拡散層２５とが重なって構成されており、拡散層２５は、透明層２４における液晶表示部１０側の面２４ｂの全体を覆っている。光源２２からの光は、レンズ２３によって集光されつつ、拡散層２５によって拡散されて出射面２３ｂから出射される。出射面２３ｂから出射される光が拡散層２５によって拡散されているため、例えば、レンズの色収差に起因した光の色ムラや輝度ムラを抑制できる。
【００３０】
実施形態に係るバックライトユニット２０において、透明層２４および拡散層２５は、一体成形されている。例えば、大きさおよび形状がレンズ２３と同じ透明レンズ（透明層のみから成るレンズ）を成形する場合、金型に樹脂材料を充填した後、冷やすことで成形される。一方で、実施形態のレンズ２３においては、まず、透明層２４となる樹脂材料を透明層２４の外形に対応した金型内に充填して冷却することで透明層２４が成形される。その後、透明層２４を拡散層２５の外形に対応する金型に配置して拡散層２５となる樹脂材料を金型内に充填し、冷却することでレンズ２３が成形される。つまり、実施形態のレンズ２３の成形においては、樹脂材料を冷却する工程を２回に分けて行う。金型によるレンズの加工時間（タクトタイム）のうち、金型内で樹脂材料を冷却する工程が占める時間的割合は、他の工程と比較して大きく、レンズの加工時間の半分以上を占めることもある。ここで、樹脂材料の冷却時間は、レンズの厚さが厚くなるほど長くなる。実施形態においては、冷却する工程を２回に分けることで、一度の冷却工程で冷却される樹脂材料の体積を小さくできる。したがって、樹脂材料の冷却時間を短縮できる。冷却時間を短縮することで、例えば、レンズ２３を成形するための加工時間を削減できる。
【００３１】
また、実施形態に係るバックライトユニット２０において、出射面２３ｂは、拡散層２５で構成されている。出射面２３ｂが拡散層２５で構成されることで、レンズ２３から出射される光は、拡散された状態で出射面２３ｂから出射されるため、レンズの色収差に起因する色ムラや輝度ムラを効果的に抑制することができる。
【００３２】
また、実施形態に係るバックライトユニット２０において、出射面２３ｂを構成する拡散層２５の厚みｔ２は一律である。この構成により、透明層２４の液晶表示部１０側の面２４ｂから拡散層２５に入射する光は、拡散層２５で均一に拡散されて出射面２３ｂから出射される。したがって、出射面２３ｂから出射される光の拡散度合の偏りを抑制でき、例えば、出射面２３ｂから液晶表示部１０に向けて出射される光の輝度ムラを抑制することができる。この構成によって、例えば、表示画像の表示品位を向上させることができる。
【００３３】
また、実施形態に係るバックライトユニット２０において、入射面２３ａは、拡散層２５で構成されている。レンズ２３において、入射面２３ａを拡散層２５で構成することによって、例えば、入射面２３ａを構成する拡散層２５（入射側部分２５ａ）の厚みの分だけ、出射面２３ｂを構成する拡散層２５（出射側部分２５ｂ）の厚みを薄くすることができる。
【００３４】
また、実施形態に係るバックライトユニット２０において、入射面２３ａを構成する拡散層２５の厚みｔ１は、一律である。この構成により、光源２２から出射されて入射面２３ａに入射した光は、拡散層２５によって均一に拡散されて透明層２４に入射する。したがって、レンズ２３から液晶表示部１０に向けて出射される光の拡散度合の偏りを抑制できる。この構成によって、例えば、表示画像の表示品位を向上させることができる。
【００３５】
また、実施形態に係るバックライトユニット２０において、透明層２４の形状は、光源２２側から透明層２４に入射する光を液晶表示部１０に向けて集光する形状である。この形状により、透明層２４によって光源２２から入射面２３ａに入射した光を集光することができる。
【００３６】
実施形態に係るヘッドアップディスプレイ装置１は、光透過型の液晶表示部１０と、バックライトユニット２０と、を含み、バックライトユニット２０は、光源２２と、光源２２と対向する入射面２３ａと、入射面２３ａとは反対側の面であり、液晶表示部１０と対向する出射面２３ｂと、を有し、光源２２から入射面２３ａに入射する光を液晶表示部１０に向けて集光する形状のレンズ２３と、を含み、レンズ２３は、入射面２３ａと出射面２３ｂとの間に、透明層２４と、光を拡散させる拡散層２５とが重なって構成されており、拡散層２５は、透明層２４における液晶表示部１０側の面２４ｂの全体を覆っている。
【００３７】
実施形態に係るヘッドアップディスプレイ装置１において、レンズ２３は、光源２２から出射された光を液晶表示部１０に向けて集光する機能と、レンズ２３から出射される光を拡散させる機能を併せ持っている。１つの部材で、光を集光させつつ、拡散させることができるため、例えば、部品点数を削減できる。また、レンズ２３の出射面２３ｂから出射される光は、拡散層２５によって拡散されて出射されているため、例えば、レンズの色収差に起因した出射光の色ムラや輝度ムラを抑制できる。
【００３８】
なお、上述の実施形態において、レンズ２３を平凸形状のレンズとして説明したが、レンズ２３の形状はこれに限られない。レンズ２３の形状は、光源２２から入射面２３ａに入射する光を液晶表示部１０に向けて集光できる形状であればよく、例えば、両凸レンズ形状や正メニスカスレンズ形状であってもよい。また、上述の実施形態において、液晶表示部１０側から見たレンズ２３の出射面２３ｂの形状を半球状として説明したが、これに限られない。例えば、レンズ２３の出射面２３ｂは、液晶表示部１０側から見て、矩形状に成形されていてもよい。
【００３９】
また、上述の実施形態において、複数のレンズ２３が、１つのレンズ２３が１つの光源２２に１対１で対応するように配置されている例を用いて説明したが、レンズ２３は、必ずしも光源２２と１対１で対応するように配置されていなくてもよい。例えば、１つのレンズ２３が２つ以上の光源２２とそれぞれ対応するように配置されていてもよい。
【００４０】
また、上述の実施形態においては、レンズ２３が透明層２４および拡散層２５の２層によって構成されている例を用いて説明したが、レンズ２３の構成はこれに限られない。例えば、レンズ２３は、光を透過させる他の樹脂層を含んでいてもよい。例えば、拡散層２５の液晶表示部１０側の面上にさらに別の透明層が設けられていてもよい。この構成においては、拡散層２５に対して液晶表示部１０側の透明層が出射面２３ｂを構成する。この場合、出射面２３ｂは、拡散層２５における液晶表示部１０側の湾曲面に沿った形状で設けられる。
【００４１】
［実施形態の変形例］
図４および図５を参照して、実施形態の変形例について説明する。実施形態の変形例は、ヘッドアップディスプレイ装置およびバックライトユニットに関する。図４は、実施形態の変形例に係るバックライトユニットを示す断面図である。図５は、実施形態の変形例に係る別のバックライトユニットを示す断面図である。図４および図５は、上述の実施形態の図２に対応する断面図である。
【００４２】
変形例に係るバックライトユニット２０において、上述の実施形態に係るバックライトユニット２０と異なる点は、図４に示すように、レンズ２３の入射面２３ａが透明層２４で構成されている点である。また、変形例のレンズ２３は、上述の実施形態と同様にレンズアレイＭＡを構成している。ここで、変形例のレンズアレイＭＡにおいては、レンズ２３の透明層２４同士がつながって一つのレンズアレイＭＡを構成している点で、上述の実施形態に係るレンズアレイＭＡと異なる。その他の構成は、上述の実施形態と同様である。また、変形例に係るヘッドアップディスプレイ装置１は、変形例に係るバックライトユニット２０を含む点で、上述の実施形態に係るヘッドアップディスプレイ装置１と異なる。変形例に係るヘッドアップディスプレイ装置１のその他の構成は、上述の実施形態に係るヘッドアップディスプレイ装置１と同様である。
【００４３】
変形例のレンズ２３は、例えば、上述の実施形態と同様に、金型によって透明層２４を成形した後、レンズ２３に対応する別の金型内に透明層２４を配置して拡散層２５となる樹脂材料を充填して冷却することで成形される。
【００４４】
変形例のレンズ２３において、車両上下方向における拡散層２５の断面形状は、Ｃ字状になっており、透明層２４の液晶表示部１０側の面２４ｂの全体を一律の厚みｔ３で覆っている。レンズアレイＭＡにおいて、各レンズ２３の拡散層２５は、互いに繋がって、レンズアレイＭＡの液晶表示部１０側の面２４ｂの全体を覆っている。
【００４５】
以上、説明したように、変形例に係るバックライトユニット２０において、レンズ２３の入射面２３ａは、透明層２４で構成されている。
【００４６】
なお、変形例のレンズ２３は、例えば、透明層２４の液晶表示部１０側の面２４ｂの全体に拡散層２５となる樹脂材料を塗布することによっても形成することができる。したがって、拡散層２５を形成する際に金型を用いることなく、拡散層２５を形成することもできる。
【００４７】
なお、変形例に係るバックライトユニット２０は、図５に示すように、フィールドレンズ４０を含んで構成されていてもよい。フィールドレンズ４０は、透明樹脂によって形成されており、光を透過する。フィールドレンズ４０は、レンズ２３と液晶表示部１０との間に配置される。実施形態のフィールドレンズ４０は、レンズ２３（レンズアレイＭＡ）側に１つの凹状の湾曲面を有しており、液晶表示部１０側に平坦面を有している。つまり、実施形態のフィールドレンズ４０は、平凹レンズである。
【００４８】
フィールドレンズ４０は、車両１００におけるアイボックスと、レンズ２３の出射面２３ｂとを光学的な共役関係にするように機能する。また、フィールドレンズ４０は、出射面２３ｂから出射された光を屈折させて、効率的に液晶表示部１０に照射されるようにする。ここで、アイボックスとは、アイポイントＥＰを含み、運転者Ｄが運転席に座った状態で運転しながら表示画像を視認可能な空間領域として予め想定される領域である。
【００４９】
なお、フィールドレンズ４０は、上述の機能を発揮できる形状であればよく、平凹レンズ以外の形状であってもよい。例えば、フィールドレンズ４０の形状は、平凸レンズ形状、両凸レンズ形状、または正メニスカスレンズ形状であってもよい。
【００５０】
上記の実施形態および各変形例に開示された内容は、適宜組み合わせて実行することができる。
【符号の説明】
【００５１】
１  ヘッドアップディスプレイ装置
１０  液晶表示部
１１  液晶層
１２ａ，１２ｂ  偏光板
１３ａ，１３ｂ  基板
２０  バックライトユニット
２１  基材
２２  光源
２３  レンズ
２３ａ  入射面
２３ｂ  出射面
２４  透明層
２５  拡散層
２５ａ  入射側部分
２５ｂ  出射側部分
２５ｃ  光拡散材
３０  反射部材
４０  フィールドレンズ
Ｄ  運転者
ＥＰ  アイポイント
Ｓ  虚像
１０３  表示部材
１０３ｓ  反射面
【図１】
2020068162.tif 000003
【図２】
2020068162.tif 000004
【図３】
2020068162.tif 000005
【図４】
2020068162.tif 000006
【図５】
2020068162.tif 000007